(57)【要約】【課題】  簡易な構造を採用し、取り扱いが容易となる水糸保持金具を提供する。【解決手段】  ブロック体Ｂを整列配置してブロック塀を建設する際に使用するための基準となる水糸Ｗを保持する金具であって、ブロック体Ｂの厚さより長い連結板片２と、この連結板片２の両端に設けられ、ブロック体Ｂの表裏面を挟持するように突出する一対の挟持板片３ａ、３ｂと、挟持板片３ａ、３ｂの先端に設けられ、この挟持板片３ａ、３ｂによる挟持時にブロック体Ｂの表裏面に当接する押圧固定部４と、を備え、押圧固定部４をブロック体Ｂの表裏面に当接させた状態で挟持板片３ａ、３ｂの挟持力によって固定され、この固定状態で連結板片２における両端の近傍がブロック体Ｂの表裏面より外側に位置され、連結板片２における両端の近傍に水糸Ｗを張設するための水糸固定部５が設けられたことを特徴とする。【選択図】  図１
0003137986.tif 000002
【実用新案登録請求の範囲】
【請求項１】
ブロック体を水平等の所定の基準線に沿って整列配置してブロック塀を建設する際に使用するための水糸を保持する金具であって、
ブロック体の厚さより長い連結板片と、
この連結板片の両端に設けられ、前記ブロック体の表裏面を挟持するように突出する一対の挟持板片と、
前記挟持板片の先端に設けられ、この挟持板片による挟持時に前記ブロック体の表裏面に当接する押圧固定部と、を備え、
前記押圧固定部を前記ブロック体の表裏面に当接させた状態で前記挟持板片の挟持力によって固定され、この固定状態で前記連結板片における両端の近傍が前記ブロック体の表裏面より外側に位置され、前記連結板片における一端又は両端の近傍に前記水糸を張設するための水糸固定部が設けられたことを特徴とする水糸保持金具。
【請求項２】
単一の帯状板材から前記連結板片、前記挟持板片、及び前記押圧固定部を板金加工によって形成したことを特徴とする請求項１に記載の水糸保持金具。
【請求項３】
前記連結板片の端辺には、その長さにわたって、カーリング加工によってカーリング部が形成されることを特徴とする請求項１又は２に記載の水糸保持金具。
【請求項４】
前記カーリング部の突出方向を、前記挟持板片の突出方向と同方向となしたことを特徴とする請求項１ないし３のいずれか１項に記載の水糸保持金具。
【請求項５】
前記一対の挟持板片のいずれか一方には、前記挟持板片と前記ブロック体の表裏面との間の隙間を調整するための隙間調整部が設けられ、この隙間調整部は前記挟持板片自体に形成されるネジ穴と、このネジ穴にネジ嵌合し軸方向に螺動するネジ軸部材を備えたことを特徴とする請求項１ないし４のいずれか１項に記載の水糸保持金具。
【請求項６】
前記水糸固定部には、溝部または目盛部が形成されることを特徴とする請求項１ないし５のいずれか１項に記載の水糸保持金具。
【考案の詳細な説明】
【技術分野】
【０００１】
本考案は、ブロック塀を建設する際の各段におけるブロック体の水平出しに使用する水糸保持金具に関する。
【背景技術】
【０００２】
家屋の周辺に取り囲むように建設されることが多いブロック塀は、複数のブロックを積み重ねてモルタルで接合して形成される。この複数段に積み重ねられるブロックは各段毎に水平出し作業が行われる。この水平出し作業は、ブロック塀の1段目で、その塀の両端に配置されるブロックに対応した位置に杭を打ち込み固定し、この杭の間にわたって水糸を水平に張設し、この水糸に沿ってブロックを配置している。その後は各段に対応して水糸の固定位置を上げ、水平に張設する作業を繰り返し行うものや、水糸掛け部および上板水糸溝を有する水糸止具本体と、水糸止具本体に脱着自在に装着される本体係止具を備える水糸止具を使用するものが知られている（例えば、特許文献１参照）。
【０００３】
【特許文献１】特開２００１−２０７６４６号公報（特許第３５３５８２４号公報）
【考案の開示】
【考案が解決しようとする課題】
【０００４】
しかしながら、特許文献１のものは、水糸掛け部および上板水糸溝とを有する水糸止具本体と、本体係止具から構成されているため、構造が複雑となってコストが高くなり、しかも、ブロックへの固定が面倒で取り扱いにくいため、簡易なものが望まれていた。
【０００５】
本考案の課題は、簡易な構造を採用し、取り扱いを容易にした水糸保持金具を提供することにある。
【課題を解決するための手段及び考案の効果】
【０００６】
本考案の水糸保持金具は、ブロック体を水平に整列配置してブロック塀を建設する際に使用するための水平基準となる水糸を保持する金具であって、
ブロック体の厚さより長い連結板片と、この連結板片の両端に設けられ、ブロック体の表裏面を挟持するように突出する一対の挟持板片と、挟持板片の先端に設けられ、この挟持板片による挟持時にブロック体の表裏面に当接する押圧固定部と、を備え、押圧固定部をブロック体の表裏面に当接させた状態で挟持板片の挟持力によって固定され、この固定状態で連結板片における両端の近傍がブロック体の表裏面より外側に位置され、連結板片における両端の近傍に水糸を張設するための水糸固定部が設けられたことを特徴とする。
【０００７】
上記構成とすることにより、ブロック塀の両端に配置するブロック体に水糸保持金具を直接的に固定できる。また、その取り付けは挟持板片を弾性変形させてブロック体に嵌め、弾性保持させることにより、ワンタッチ装着できるため、作業性が良好となる。また、水糸固定部はブロック体の外側に位置しているため、水糸の張設が簡易にできる。このような簡易な構造を採用したことにより、取り扱いが容易となる水糸保持金具を提供できる。
【０００８】
単一の帯状板材から連結板片、挟持板片、押圧固定部を板金加工によって形成したので、水糸保持金具の製造が安価となる。
【０００９】
また、連結板片の端辺には、その長さにわたって、カーリング加工によってカーリング部が形成されるので、連結板片が強度的に補強され、連結板片の撓みによる変形を防止できる。また、水糸固定部がカーリング部に位置するため、水糸の切断不具合を防止することが可能となる。
【００１０】
また、カーリング部の突出方向を、挟持板片の突出方向と同方向となしたので、カーリング部をブロック体に当接させて水糸保持金具を固定でき、これによってカーリング部を通って水糸固定部から引き出される水糸は、ブロック体から所定間隔だけ離れた上方位置に張設され、上下のブロック体の間に介在させる目地（充填モルタル）の水平出し等を行うことが可能となる。
【００１１】
また、一対の挟持板片のいずれか一方には、挟持板片とブロック体の表裏面との間の隙間を調整するための隙間調整部が設けられ、この隙間調整部は挟持板片自体に形成されるネジ穴と、このネジ穴にネジ嵌合し軸方向に螺動するネジ軸部材を備えたので、水糸保持金具をブロック体に固定した後、ネジ軸部材の螺進によって挟持板片とブロック体の隙間を調整でき、これによって水糸固定部から引き出されている水糸位置の微調整を行うことができる。また、水糸固定部には、溝部または目盛部が形成されることにより、前者の溝部によれば、巻き付けられた水糸Ｗの位置ずれを規制することができるため、安定かつ正確に水糸による基準線を設定できる。また、後者の目盛部によればブロック体から水糸までの距離が設定できるため、作業がし易くなる。
【考案を実施するための最良の形態】
【００１２】
以下、本考案の実施の形態を図面に示す実施例を参照して説明する。図１は、本考案の水糸保持金具の基本形態を示す斜視図である。図１において、水糸保持金具１は、ブロック体Ｂを直線的に整列配置してブロック塀を建設する際に使用する水平等（水平、垂直、若しくは傾斜を含む）の所定の基準線となる水糸Ｗを保持する金具であって、この水糸保持金具１は、単一の帯状板材を板金加工して形成するもので、連結板片２の両端２ａ、２ｂから突出するように、一対の挟持板片３ａ、３ｂを屈曲形成して全体として断面コ字状と成している。
【００１３】
連結板片２の両端２ａ、２ｂ間の長さＬを、ブロック塀を構成するコンクリートブロック、石材、レンガなどのブロック体Ｂの厚さＴより長く設定している。
【００１４】
挟持板片３ａ、３ｂは、ブロック体Ｂの表裏面を挟持して、水糸保持金具１をブロック体Ｂに固定保持するもので、連結板片２および挟持板片３ａ、３ｂの弾性変形内での弾性復元力によって挟持力を具有させるようにしている。このため本例では板金材料として鋼板、ステンレス鋼板などで代表される鉄系、アルミニウム、銅などで代表される非鉄系が使用可能である。また、挟持板片３ａ、３ｂの先端には、ブロック体Ｂの表裏面に当接する押圧固定部４が形成される。この押圧固定部４は、対向する一方の挟持板片３ａ、３ｂ側へ突出するように断面Ｖ字状に屈曲形成している。
【００１５】
また、連結板片２の両端２ａ、２ｂ間の長さＬは、ブロック体Ｂの厚さＴより長く設定しているため、連結板片２の両端２ａ、２ｂの近傍がブロック体Ｂの表裏面より外側に位置されることにより、この連結板片２の両端２ａ、２ｂの近傍に、水糸Ｗを固定するための水糸固定部５を形成することができる。この水糸固定部５は水糸Ｗを巻き付けて固定する領域Ｘを有している。この領域Ｘにおける連結板片２の上下の端辺２ｃは、鋭利な角部が存在しないようにアール状に面取りが形成されている。このように面取りが施されていることにより、水糸Ｗを水糸固定部５に巻き付けて固定した際での糸切断不具合を防止できる。
【００１６】
なお、この水糸保持金具１の板金展開図を図２に示す。図２において点線個所は「山折」を示し、一点鎖線個所は「谷折」を示している。この折り目にそって連結板片２、挟持板片３ａ、３ｂ、押圧固定部４が加工される。
【００１７】
次に、この水糸保持金具１の使用方法について説明する。建設されるブロック塀で、複数段に積み重ねられるブロック体Ｂの各段毎の水平出し等の作業は、図３に示すように、例えばブロック塀の１段目では、そのブロック塀の両端に配置されるブロック体Ｂの一端側（ブロック塀の両端外側）から挟持板片３ａ、３ｂを水平方向に指向させた状態で、水糸保持金具１をブロック体Ｂにワンタッチで嵌め込みして配置する方法がある。このようにブロック塀の両端におけるブロック体Ｂに固定された水糸保持金具１の水糸固定部５に水糸Ｗを巻き付けるようにして張設して水平出し等を行う。この水平出し等とは、ブロック体Ｂの上面を水糸Ｗによる水平基準線に一致させるようにした水平基準や、ブロック体Ｂの上面を水糸Ｗによる傾斜基準線（施工地面が傾斜面でこの傾斜面に沿った基準線）に一致させるようにした傾斜基準や、ブロック体Ｂの表面を水糸Ｗによる垂直基準線（ブロック体Ｂの表面を面一状態にするための基準線）に一致させるようにした垂直基準を含んでいる。
【００１８】
他の方法として、図４に示すように、ブロック塀の両端に配置されるブロック体Ｂの天端側から挟持板片３ａ、３ｂを垂直方向に指向させた状態で、水糸保持金具１をブロック体Ｂにワンタッチで嵌め込みして配置する方法が可能となる。このようにブロック塀の両端におけるブロック体Ｂに固定された水糸保持金具１の水糸固定部５に水糸Ｗを巻き付けるようにして張設して水平出し等を行う。
【００１９】
次に、水糸保持金具１の他の実施形態として図５に示す。連結板片２のいずれか一方の端辺２ｃには、その長さＬにわたって、カーリング加工によって中空状のカーリング部６が形成される。このカーリング部６は連結板片２の撓みによる変形を防止するための補強部位となったり、水糸Ｗの切断不具合の防止ができる。
【００２０】
また、カーリング部５の突出方向としては、挟持板片３ａ、３ｂの突出方向と同方向に突出させることが好ましく、この例によれば、水糸保持金具１をブロック体Ｂに固定するとき、カーリング部６の先端をブロック体Ｂの天端に当接させることにより、カーリング部６（連結板片２）における水糸固定部５から引き出される水糸Ｗは、ブロック体Ｂの天端から所定間隔だけ上方へ離れた状態となっている。この離間距離を上下のブロック体Ｂの間に介在させる目地（充填モルタル）の厚みに対応さるように、カーリング部６を曲げ形成することにより、目地の水平出しを行うことが可能となる。また、このような機能を有するカーリング部５の変形例としては、図６に示すように、カーリング部６を挟持板片３ａ、３ｂと同方向にして、かつ上方へ突出させて形成することもできる。
【００２１】
次に、水糸保持金具１の他の実施形態として図７に示すように、水糸保持金具１の少なくとも一方の挟持板片３ａ、３ｂには、挟持板片３ａ、３ｂとブロック体Ｂとの間の隙間を調整するための隙間調整部７（本例では２個所）が設けられている。この隙間調整部７は挟持板片３ａ、３ｂ自体に形成されるネジ穴７ａと、このネジ穴７ａにネジ嵌合し軸方向に螺動する別体のネジ軸部材７ｂを備えている。そして、この水糸保持金具１をブロック体Ｂに固定した後、隙間調整部７のネジ軸部材７ｂを回して、その先端をブロック体Ｂに当接させた状態で、さらにネジ軸部材７ｂを回すことにより、隙間調整部７を有する挟持板片３ａ、３ｂがブロック体Ｂから離れるため、連結板片２の水糸固定部５から引き出されている水糸Ｗの位置の微調整を行うことができる。
【００２２】
次に、水糸保持金具１の他の実施形態として図８に示す。この水糸保持金具１は、一対の挟持板片３ａ、３ｂを波状に湾曲形成するものである。さらに、図９に示す他の実施形態では、一対の挟持板片３ａ、３ｂの軽量化を図るために、パンチング加工によって抜き穴８を形成したものである。
【００２３】
なお、図１０に示すように、水糸Ｗを固定する水糸固定部５を、挟持板片３ａ、３ｂの先端側に形成する押圧固定部４に設けることもできる。
【００２４】
また、図１１（ａ）に示すように、コンクリートブロックとして表裏面に凹凸模様を付した化粧ブロックＢ１を使用する場合には、表裏面に縦溝Ｂ１ａが形成されている化粧ブロックＢ１にあっては、縦溝Ｂ１ａ内に水糸保持金具１における挟持板片３ａ、３ｂの押圧固定部４を嵌め込むように、挟持板片３ａ、３ｂを水平方向に指向させた状態で、水糸保持金具１を化粧ブロックＢ１にワンタッチで嵌め込みして固定することができる。さらに、図１１（ｂ）に示すように、表裏面に横溝Ｂ１ｂが形成されている化粧ブロックＢ１にあっては、横溝Ｂ１ｂ内に水糸保持金具１における挟持板片３ａ、３ｂの押圧固定部４を嵌め込むように、挟持板片３ａ、３ｂを垂直方向に指向させた状態で、水糸保持金具１を化粧ブロックＢ１にワンタッチで嵌め込みして固定することができる。
【００２５】
次に、水糸保持金具１の他の実施形態として図１２に示す。この水糸保持金具１は、連結板片２の両端２ａ、２ｂの近傍に設けられる水糸固定部５の変形例である。先ず第一の変形例は、図１２（ａ）に示すように、連結板片２の領域Ｘ内に複数（本例では３個所）の溝部５ａを切り欠き形成して水糸固定部５となしている。この水糸固定部５の溝部５ａに水糸Ｗを巻き付けてられた水糸Ｗの位置ずれを規制することができる。さらに、図１２（ｂ）に示す第二の変形例では、連結板片２の領域Ｘ内に目盛部５ｂを形成して水糸固定部５となしている。この水糸固定部５の目盛部５ｂによってブロック体Ｂから水糸Ｗまでの距離が設定できる。
【図面の簡単な説明】
【００２６】
【図１】本考案の実施形態である水糸保持金具をその使用方法とともに示した斜視図。
【図２】図１の水糸保持金具の展開図。
【図３】水糸保持金具の第一の固定方法を示す図。
【図４】水糸保持金具の第二の固定方法を示す図。
【図５】本考案の他の実施形態である水糸保持金具の斜視図。
【図６】図５の水糸保持金具の変形例の斜視図。
【図７】本考案の他の実施形態である水糸保持金具をその使用方法とともに示した平面図。
【図８】本考案の他の実施形態である水糸保持金具の斜視図。
【図９】本考案の他の実施形態である水糸保持金具の斜視図。
【図１０】水糸固定領域を挟持片の押圧固定部となした水糸保持金具の平面図。
【図１１】化粧ブロックに水糸保持金具を固定した状態の斜視図。
【図１２】本考案の水糸保持金具における水糸固定部の変形例を示す図。
【符号の説明】
【００２７】
１            水糸保持金具
２            連結板片
２ａ、２ｂ    両端
２ｃ          端辺
３ａ、３ｂ    挟持板片
４            押圧固定部
５            水糸固定部
５ａ          溝部
５ｂ          目盛部
６            カーリング部
７            隙間調整部
７ａ          ネジ穴
７ｂ          ネジ軸部材
Ｂ            ブロック体
Ｗ            水糸
【図１】
0003137986.tif 000003
【図２】
0003137986.tif 000004
【図３】
0003137986.tif 000005
【図４】
0003137986.tif 000006
【図５】
0003137986.tif 000007
【図６】
0003137986.tif 000008
【図７】
0003137986.tif 000009
【図８】
0003137986.tif 000010
【図９】
0003137986.tif 000011
【図１０】
0003137986.tif 000012
【図１１】
0003137986.tif 000013
【図１２】
0003137986.tif 000014